(57)【要約】      （修正有）【課題】蒸気の利用性と蒸気によるアイロンかけ効果を強化し、かつ高温による傷害を防ぐことができ、高い安全特性が得られるスチームアイロンの複合式底板構造を提供する。【解決手段】金属材によってなり、枠状を呈し、底板全体の外周枠の部分を構成し、かつ前方の部位に、該スチームアイロン内部に設けた蒸気貯留室と連通する複数の蒸気噴出孔２１１を穿設してなり金属底板２１と、耐熱性のプラスチック材とによってなり、該スチームアイロン本体の一部分であって、かつ該スチームアイロンの底板２の主な熱供給部であり、該スチームアイロンの底板２から凸起し、高さが該金属底板の厚さと等しく、かつ枠状の金属底板の枠内に嵌合する形状を呈する凸起部を形成してなり、該金属底板に嵌合して平坦なアイロンかけ面を形成するプラスチック底板２２と、によってスチームアイロンの底板２を構成する。【選択図】図４
0003148367.tif 000002
【実用新案登録請求の範囲】
【請求項１】
金属材によってなる金属底板と、耐熱性のプラスチック材とによってなるプラスチック底板とによって構成するスチームアイロンの底板であって、
該金属底板は枠状を呈し、底板全体の外周枠の部分を構成し、かつ前方の部位に、該スチームアイロン内部に設けた蒸気貯留室と連通する複数の蒸気噴出孔を穿設し、
該プラスチック底板は、該スチームアイロン本体の一部分であって、かつ該スチームアイロンの底板の主な熱供給部であり、該スチームアイロンの底板から凸起し、高さが該金属底板の厚さと等しく、かつ枠状の金属底板の枠内に嵌合する形状を呈する凸起部を形成してなり、該金属底板に嵌合して平坦なアイロンかけ面を形成することを特徴とするスチームアイロンの複合式底板構造。
【請求項２】
前記金属底板の蒸気噴出孔が該蒸気貯留室に対応して形成され、該蒸気貯留室がＶ字状を呈し、かつ底面に該金属底板の蒸気噴出孔に対応する位置に、該蒸気噴出孔と同数の対応孔を穿設することを特徴とする請求項１に記載のスチームアイロンの複合式底板構造。
【請求項３】
前記金属底板がスチームアイロンの底板の中央の部位に形成されて該スチームアイロンによるアイロンかけための主要な熱供給部となり、該プラスチック底板が枠状に形成されて底板全体の外周枠の部分を構成することを特徴とする請求項１に記載のスチームアイロンの複合式底板構造。
【考案の詳細な説明】
【技術分野】
【０００１】
この考案はスチームアイロンに関し、特にスチームアイロンの底板の改良構造に関する。
【背景技術】
【０００２】
従来の電気アイロンで、スチームアイロンと称する電気アイロンは、蒸気を利用してアイロンかけを行うものであって、利用する蒸気は貯蔵した水を加熱して噴出させることによって発生する水蒸気であって、故に「スチーム」と称する。
【０００３】
従来のスチームアイロンは、加熱して高熱となったアイロンの底板が、アイロンかけ対象物に反復して接触するとともに、貯蔵した水を複数回噴出すると、金属製の底板の温度が急速に下降する情況が発生する。係る情況が発生すると、底板の温度が不十分になり、再度加熱する必要が発生し、加熱されるまで待たなければならず、しかもこのような操作を繰り返して行うことになる。係る経験をした使用者、特に家庭の主婦の数は多いはずだ。
【０００４】
即ち、従来のスチームアイロンにおいては、結果として加熱を繰り返すことによって起きるエネルギーの消耗の問題、温度が不足することによって起きるアイロンかけ効率の低下、再度加熱するために起きる時間の浪費などの問題が欠点として挙げられる。
【０００５】
そこで、スチームアイロンにおける蒸気の利用性とアイロンかけ効果を強化したスチームアイロンが望まれている。
【考案の開示】
【考案が解決しようとする課題】
【０００６】
この考案は、蒸気の利用性と蒸気によるアイロンかけ効果を強化するとともに、使用者がアイロンの底板の外周に誤って接触した場合、もしくは耐熱性の低い物品が外周に接触した場合、高温による傷害を防ぐことができ、高い安全特性が得られるスチームアイロンの複合式底板構造を提供することを課題とする。
【課題を解決するための手段】
【０００７】
そこで、本考案者は従来のスチームアイロンの底板に見られる欠点に鑑み鋭意研究を重ねた結果、金属材によってなり、枠状を呈し、底板全体の外周枠の部分を構成し、かつ前方の部位に、該スチームアイロン内部に設けた蒸気貯留室と連通する複数の蒸気噴出孔を穿設してなり金属底板と、耐熱性のプラスチック材とによってなり、該スチームアイロン本体の一部分であって、かつ該スチームアイロンの底板の主な熱供給部であり、該スチームアイロンの底板から凸起し、高さが該金属底板の厚さと等しく、かつ枠状の金属底板の枠内に嵌合する形状を呈する凸起部を形成してなり、該金属底板に嵌合して平坦なアイロンかけ面を形成するプラスチック底板とからなるスチームアイロンの底板構造によって課題を解決できる点に着眼し、係る知見に基づいて本考案を完成させた。
以下、この考案について具体的に説明する。
【０００８】
請求項１に記載するスチームアイロンの底板構造は、  金属材によってなる金属底板と、耐熱性のプラスチック材とによってなり、
該金属底板は枠状を呈し、底板全体の外周枠の部分を構成し、かつ前方の部位に、該スチームアイロン内部に設けた蒸気貯留室と連通する複数の蒸気噴出孔を穿設し、
該プラスチック底板は、該スチームアイロン本体の一部分であって、かつ該スチームアイロンの底板の主な熱供給部であり、該スチームアイロンの底板から凸起し、高さが該金属底板の厚さと等しく、かつ枠状の金属底板の枠内に嵌合する形状を呈する凸起部を形成してなり、該金属底板に嵌合して平坦なアイロンかけ面を形成する。
【０００９】
請求項２に記載するスチームアイロンの複合式底板構造は、請求項１における金属底板の蒸気噴出孔が該蒸気貯留室に対応して形成され、該蒸気貯留室がＶ字状を呈し、かつ底面に該金属底板の蒸気噴出孔に対応する位置に、該蒸気噴出孔と同数の対応孔を穿設する。
【００１０】
請求項３に記載するスチームアイロンの複合式底板構造は、請求項１における金属底板がスチームアイロンの底板の中央の部位に形成されて該スチームアイロンによるアイロンかけための主要な熱供給部となり、該プラスチック底板が枠状に形成されて底板全体の外周枠の部分を構成する。
【考案の効果】
【００１１】
この考案によれば、スチームアイロンの底板が外周枠と、該外周枠の内部に嵌合する部分とによってなり、二種類の異なる温度と、異なるアイロンかけの効果が得られ、「アイロンかけ」と「加熱」との分離が得られる。よって、
蒸気と加熱とを異なる経路で達成することができ、蒸気を十分に利用して好ましいアイロンかけの効果が得られ、熱エネルギーを効率よく利用することができる。
【００１２】
また、この考案によれば、スチームアイロンの底板が外周枠と、該外周枠の内部に嵌合する部分とによってなり、アイロンの操作性において従来のアイロンに見られるような重量によって起きる操作のしにくさを解消することができりという効果を有する。
【００１３】
さらに、この考案によれは、スチームアイロンの底板が外周枠と、該外周枠の内部に嵌合する部分とによってなり、外周枠の温度が低く、枠内の部分の温度が比較的に高くなるため。使用中、外周枠に誤って接触した場合、もしくは耐熱性の低い物品が接触した場合、高温によって起きる傷害を防ぐことができ、使用上の安全性が得られるという効果を有する。
【考案を実施するための最良の形態】
【００１４】
この考案は、蒸気の利用性と蒸気によるアイロンかけ効果を強化するとともに、使用者がアイロンの外周面に誤って接触した場合、もしくは耐熱性の低い物品が接触した場合、高温による傷害を防ぐことができ、高い安全特性が得られるスチームアイロンの複合式底板構造を提供するものであって、
金属材によってなり、枠状を呈し、底板全体の外周枠の部分を構成し、かつ前方の部位に、該スチームアイロン内部に設けた蒸気貯留室と連通する複数の蒸気噴出孔を穿設してなり金属底板と、耐熱性のプラスチック材とによってなり、該スチームアイロン本体の一部分であって、かつ該スチームアイロンの底板の主な熱供給部であり、該スチームアイロンの底板から凸起し、高さが該金属底板の厚さと等しく、かつ枠状の金属底板の枠内に嵌合する形状を呈する凸起部を形成してなり、該金属底板に嵌合して平坦なアイロンかけ面を形成するプラスチック底板と、によってスチームアイロンの底板を構成する。
かかるスチームアイロンの複合式底板構造について、具体的な実施例を挙げ、図面を参照にして以下に詳述する。
【００１５】
図１から図４に開示するように、この考案はスチームアイロン（１）の底板（２）の改良構造を提供するものであって、底板（２）は金属材によってなる金属底板（２１）と、耐熱性プラスチック材とによってなるプラスチック底板（２２）とによってなる。
【００１６】
金属底板（２１）は枠状に形成され、スチームアイロン（１）の底板（２）の外枠となる部材であって、スチームアイロン（１）本体からの「伝導熱エネルギー」と、蒸気が供給する「蒸気の熱エネルギー」を受ける。
【００１７】
プラスチック底板（２２）はスチームアイロン（１）の一部分であって、スチームアイロン（１）本体内部に設けた加熱室（図示しない）の熱エネルギーを直接受けて、底板（２）の主要な熱供給面となる。
【００１８】
図２、３に開示するように、金属底板（２１）は、枠状を呈するように形成する以外、前方の位置に、複数の蒸気噴出孔（２１１）を穿設する。蒸気噴出孔（２１１）は図６に開示するように、スチームアイロン（１）内部の蒸気貯留室（３）に直接連通する。
【００１９】
プラスチック底板（２２）は、スチームアイロン（１）の一部分であって、スチームアイロン（１）の中央の部分が凸起し、高さが金属底板（２１）の厚さと等しく、かつ枠状の金属底板（２１）の枠内に嵌合する形状を呈する凸起部を形成してなり、金属底板（２１）に嵌合して平坦なアイロンかけ面を形成する。
【００２０】
図５、６を参照して補足説明する。
前述する蒸気貯留室（３）はスチームアイロン（１）の前方の位置に設けられ、Ｖ字状を呈する。蒸気貯留室（３）の底面には金属底板（２１）に穿設した蒸気噴出孔（２１１）に対応する位置に、蒸気噴出孔（２１１）と同数の対応孔（３１）を穿設する以外に、外部から導入管（３０）の一端を接続する。図１に開示するように導入管（３０）は他端がスチームアイロン（１）の加熱室（図示しない）に接続して、該加熱室内の蒸気を蒸気貯留室（３）に導入し、導入した蒸気を蒸気貯留室（３）から金属底板（２１）に供給して均一な蒸気の噴出を達成する。
【００２１】
この考案による複合式の底板（２）と温度の関係について述べると、スチームアイロン（１）を使用する場合、底板（２）の中央の部位は外周の枠の部分に比して温度が高くなる。この場合、金属底板（２１）が高温の蒸気と適宜な重量によってアイロンかけ対象物にアイロンかけを行い、さらに耐熱性のプラスチック材によってなるプラスチック底板（２２）が高温のアイロンかけを行う。即ち、蒸気を利用するとともに、二通りの異なる温度の作用を得ることができ、このためアイロンかけの熱効率を高めることができ、さらには二通りの異なる温度の補助作用によって蒸気のアイロンかけの効果を短時間で高めることができる。
【００２２】
また、本考案の精神と原則を変えないという原則の下において、金属製の金属底板（２１）をスチームアイロン（１）の底板（２）の中央の部分に形成し、スチームアイロン（１）の主要な熱伝導部とし、耐熱性のプラスチック材によってなるプラスチック底板（２２）を枠状に形成して底板（２）の外周枠としてもよい。この場合においても、底板（２）は異なる二種類の温度によって同等の効果が得られる。
【００２３】
以上はこの考案の好ましい実施の形態であって、この考案の実施の範囲を限定するものではない。よって、当業者のなし得る修正、変更であって、この考案の精神の下においてなされ、この考案に対して均等の効果を有するものは、いずれもこの考案の実用新案登録請求の範囲に含まれるものとする、
【図面の簡単な説明】
【００２４】
【図１】この考案による底板を有するスチームアイロンの概観を示した説明図である。
【図２】この考案における金属底板の構造を示した説明図である。
【図３】この考案におけるプラスチック底板の構造を示した説明図である。
【図４】この考案における金属底板とプラスチック底板とを嵌合して形成した底板の複合構造を示した説明図である。
【図５】この考案における蒸気貯留室を底面側から見た斜視図である。
【図６】この考案における蒸気貯留室と導入管と金属底板との位置関係を示した説明図である。
【符号の説明】
【００２５】
１    スチームアイロン
２    底板
２１  金属底板
２１１ 蒸気噴出孔
２２  プラスチック底板
３    蒸気貯留室
３０  導入管
３１  対応孔
【図１】
0003148367.tif 000003
【図２】
0003148367.tif 000004
【図３】
0003148367.tif 000005
【図４】
0003148367.tif 000006
【図５】
0003148367.tif 000007
【図６】
0003148367.tif 000008